(57)【要約】【課題】金属面、非金属面の双方に貼り付けることが可能であり、さらに用紙を挟むこともできるマグネットフックを提供する。【解決手段】二つのゴムマグネットを接合し、このゴムマグネット上端部を接続して、前方のゴムマグネット正面にフック部を設置し、後方のゴムマグネット背面に剥離シートを貼着する粘着面が設けられている。【選択図】  図１
2007167429.tif 000002
【特許請求の範囲】
【請求項１】
重ねた二つのゴムマグネットを備え、該ゴムマグネットにそれぞれ通し孔を形成して連結部材によって両ゴムマグネットを接続し、前記二つのゴムマグネットのうち後方のゴムマグネットの背面に剥離シートを貼着する接着面を設けて剥離紙を貼着することを特徴とするマグネットフック。
【請求項２】
上記二つのゴムマグネットのうちの前方のゴムマグネット正面には、フック部を設けたことを特徴とする請求項1記載のマグネットフック。
【請求項３】
上端側に固定端を設けて接合した二つのゴムマグネットを備え、この二つのゴムマグネットのうちの前方のゴムマグネットの上部両側にそれぞれ切り欠き口部を設けてその間を連接部とし、後方のゴムマグネットの背面に剥離シートを貼着する粘着面を設けたことを特徴とするマグネットフック。
【発明の詳細な説明】
【技術分野】
【０００１】
本発明は、マグネットフックに係り、使用時には、磁石によって直接金属面に貼り付けることが可能である一方、非金属面にも貼り付けて使用可能としたマグネットフックに関する。
【背景技術】
【０００２】
従来のポストイット（登録商標）は、用紙背面の上部に糊付けをすることによって物品の上に貼り付けることを可能としている。しかしながら、この従来のポストイット（登録商標）は、用紙の上にメモを記入し、設置された掲示欄や板（或いは一般に目に付き易い箇所）に貼り付けて用いられるが、粘着性が弱まった時は簡単に剥がれて落ちてしまう。
【０００３】
また、従来のマグネットフックなどは、金属面を有する物体の表面にメモや用紙を貼り付けて使用するため、金属面が無いと使用することができない。
【発明の開示】
【発明が解決しようとする課題】
【０００４】
従来のマグネットフックは、金属面がないと使用することができず、ポストイット（登録商標）などといったような用紙背面の上部に糊付けをすることによって物体の上に貼り付けて使用する場合には、粘着性が弱まると剥がれて落下してしまう。
【０００５】
本発明はこれらの事情に鑑みてなされたもので、金属面、または非金属面双方に貼り付けて用いることを可能とし、さらにメモなどの用紙を挟んで保持することもできるマグネットフックを提供することを目的とする。
【課題を解決するための手段】
【０００６】
上記課題を解決するために本発明の一態様によるマグネットフックは、重ねた二つのゴムマグネットを備え、該ゴムマグネットにそれぞれ通し孔を形成して連結部材によって両ゴムマグネットを接続し、前記二つのゴムマグネットのうち後方のゴムマグネットの背面に剥離シートを貼着する接着面を設けて剥離紙を貼着する。
【０００７】
本発明の他の態様によるマグネットフックは、上端側に固定端を設けて接合した二つのゴムマグネットを備え、この二つのゴムマグネットのうちの前方のゴムマグネットの上部両側にそれぞれ切り欠き口部を設けてその間を連接部とし、後方のゴムマグネットの背面に剥離シートを貼着する粘着面を設けた。
【０００８】
この構成で、使用時には、磁石によって直接金属面に貼り付けることが可能であり、また非金属面に貼り付ける場合はゴムマグネット後面の剥離シートを剥がした後に、貼り付けたい物体の表面に付けることが可能である。
【０００９】
さらに、用紙を挟みたい時には、前方のゴムマグネットと後方のゴムマグネットの端を離してから用紙を後面ゴムマグネットに近づけ、もう一度前方のゴムマグネットを元の位置に戻すだけで、すばやく用紙を挟んだり、前面のフックに小物を掛けたりすることが可能である。
【発明の効果】
【００１０】
本発明のマグネットフックによれば、金属面及び非金属面の双方の表面上に貼り付けることが可能であり、さらにメモなどの用紙を挟むことが可能である。
【発明を実施するための最良の形態】
【００１１】
以下、図面を参照して本発明の実施例を説明する。
【実施例】
【００１２】
図1〜3に示すように、実施例１のマグネットフックは、二つの異方性を有する２つのゴムマグネット1、2を備え、該ゴムマグネット1、2の上部にはそれぞれ通し孔10、20が設置されている。上記ゴムマグネット1の正面には、フック部11が設置され、後方のゴムマグネット2の背面には粘着面21並びに剥離シート22が設置されている。
【００１３】
上記二つのゴムマグネット1、2は、上記通し孔10、20に連結部材３としてリベットを係入して両ゴムマグネット１、２を接続している。接続時には、連接部材3をゴムマグネット1、2上の通し孔10、20に係入してリベット締めによって固定し、両ゴムマグネット1,2を接続固定することができる。
【００１４】
図2〜5に示すように、マグネットフックの使用時には、直接金属面（例冷蔵庫のドア、金属の公告の板等）に貼り付けることが可能であり、磁力を備えていない非金属面に貼り付けたい場合にはゴムマグネット2背面の剥離シート22を剥がし、粘着面21を貼り付けたい面に貼ることにより、貼り付けることが可能である。
【００１５】
図6〜8に示すように用紙を挟んで使用したい時は、前面のゴムマグネット1を角度回転（90度以上が理想的）させた後に、用紙4をゴムマグネット2の上に近づけてからまた前面のゴムマグネット1を元の位置に戻すことで用紙4を挟んで固定することができる。
【００１６】
図9〜10に示すように、本発明の２実施例としては、二つの異方性を有する２つのゴムマグネット5、6を備えている。該ゴムマグネット5、6の上部端方には、連結する固定端50、60が設置されており、その中で前方ゴムマグネット5の上方には連接部51が形成されている。上記前方ゴムマグネット５の上記連接部51の両側には、それぞれ切り欠け口部52が形成されている。
【００１７】
上記ゴムマグネット5の正面には、フック部53が設置され、後方のゴムマグネット6の背面には粘着面61設けられ、この粘着面６１に剥離シート62貼着されている。
【００１８】
使用時には、金属面の表面（例冷蔵庫のドアや金属製の公告の板等）に直接貼り付けて使用することができる。もし、磁力が働かない非金属面の場合には、後方のゴムマグネット6の背面の剥離シート62を剥がし、その下の粘着面61を貼り付けたい面に貼ることが可能である。
【００１９】
一方、用紙を挟んで使用する時には、前方のゴムマグネット5を上に向ってめくった後に用紙4を後面のゴムマグネット上に近づけて、さらに前方のゴムマグネット5を元に戻すことによって用紙4を挟んで固定することができる。
【００２０】
図12に示すように、ゴムマグネット5の正面に設置されたフック部11（53）は、ゴムやキーホルダー等のような物品を掛けることができる。
【図面の簡単な説明】
【００２１】
【図１】本発明の実施例１の立体分解図である。
【図２】本発明の実施例１の立体組立図である。
【図３】本発明の実施例１の側面図である。
【図４】本実施例の貼り付け使用時の説明図（1）である。
【図５】本実施例の貼り付け使用時の説明図（2）である。
【図６】本実施例１の使用状を示す態参考図（1）である。
【図７】本実施例１の使用状を示す態参考図（2）である。
【図８】本実施例１の使用状態を示す参考図（3）である。
【図９】本発明の実施例２の立体図である。
【図１０】実施例２の使用状態を示す参考図（1）である。
【図１１】実施例２の使用状態を示す参考図（2）である。
【図１２】本発明の実施例のフック部に掛けることが可能な物品を示す参考説明図である。
【符号の説明】
【００２２】
1  ゴムマグネット
10  通し孔
11  フック部
2  ゴムマグネット
20  通し孔
21  粘着面
22  シール台紙
3  連接部材
4  用紙
5  ゴムマグネット
50  固定端
51  連結部
52  切り欠き口部
53  フック部
6  ゴムマグネット
60  固定端
61  粘着面
62  剥離シート
【図１】
2007167429.tif 000003
【図２】
2007167429.tif 000004
【図３】
2007167429.tif 000005
【図４】
2007167429.tif 000006
【図５】
2007167429.tif 000007
【図６】
2007167429.tif 000008
【図７】
2007167429.tif 000009
【図８】
2007167429.tif 000010
【図９】
2007167429.tif 000011
【図１０】
2007167429.tif 000012
【図１１】
2007167429.tif 000013
【図１２】
2007167429.tif 000014